(57)【要約】【課題】  ごく簡単にリードのリード本体に取り付けて、散歩の際に携行することができるようにした、愛玩動物用バッグを提供する。【解決手段】  バッグ本体６に、愛玩動物の用具類をファスナー等で開閉可能に形成した収容口７から収容する収容部８を設ける。この収容部８には、未使用の糞収容袋Ｐと使用済みの収容袋Ｐや、スコップＳを分けて収容するための仕切９を設けることもできる。  このバッグ本体６の収容部８収容口７背面側に保持帯１０を設け、リードにおけるリード本体Ｌの手掛輪部Ｒに、前記保持帯１０を介してバッグ本体６を保持するようにする。  前記保持帯１０は、バッグ本体６の収容部８収容口７背面側に長手方向に沿って縫着した縫着部１０ａと、縫着していない取付部１０ｂとを有して、縫着部１０ａと取付部１０ｂとに、手掛輪部Ｒを挟み込んだ状態で保持する面ファスナ１２を設ける。【選択図】              図１
2005318828.tif 000002
【特許請求の範囲】
【請求項１】
愛玩動物の用具類を収容する収容部を備えたバッグ本体と、このバッグ本体外面に設けた保持帯とで構成し、この保持帯内側面に係着手段を設けて、前記保持帯で愛玩動物を引き連れるためのリードにおけるリード本体の手掛輪部を挟み込むと共に、前記バッグ本体を係着手段により前記手掛輪部に保持する構成としたことを特徴とする愛玩動物用バッグ。
【請求項２】
前記係着手段は、前記保持帯の内側面に、前記手掛輪部を保持帯で挟み込んだ状態で保持する面ファスナで構成したことを特徴とする請求項１記載の愛玩動物用バッグ。
【請求項３】
前記係着手段は、前記保持帯の内側面に、前記手掛輪部を保持帯で挟み込んだ状態で保持するスナップファスナで構成したことを特徴とする請求項１記載の愛玩動物用バッグ。
【発明の詳細な説明】
【技術分野】
【０００１】
本発明は、愛玩動物を引き連れる際に使用するリードに、簡単に装着して常に携行できるようにした、愛玩動物用バッグに関するものである。
【背景技術】
【０００２】
愛玩動物、特に犬を屋外に散歩などに引き連れる手段として用いられるリードは、愛玩動物の首に巻く首輪に一端側を連結し、他端側に、手を通して掴む手元輪を設けた、所定の長さを有する帯紐状のもの、チェーン等で構成されたものである。
犬を散歩に引き連れる際は、飼い主は、犬の習性に留意する必要がある。というのは、犬は、散歩の際、途中で小便を電柱などに掛けたり、脱糞することがよくあるからである。
このような習性は、特に人口の密集した居住地域においては、周囲に不潔感、不快感を及ぼすおそれがあるので、散歩には、始末のための用具として、糞をすくい上げるスコップや、袋等を携行することが常識となっている。
しかしながら、そのような用具を持ち歩くのは面倒であり、不便でもあるので、適当な小物入れを用意して、前記用具を小物入れに入れて持ち歩くということが考えられる。
【０００３】
そこで、例えば、
【特許文献１】特開平１０−２９０６４１号公報  この公報に示されているように、リードを連結するための、ペットの胴部に着脱自在に取り付ける胴輪に、上記始末用の用具類を入れるようにしたバッグを、着脱可能に取り付ける構成したものがある。
【０００４】
また、
【特許文献２】特開２００２−１７１８６１号公報  この公報では、リードの手元輪近傍に一端がフリーな係着ベルトを設けて、ペット始末用品を入れたポシェットに設けた一対の環をリードに挿通すると共に、一方の環に前記係着ベルトを通して前記ポシェットを保持するようにしている。
【０００５】
さらに、図３においても、リードにおける帯紐状のリード本体Ｌの手掛輪部Ｒに取り付けられるようにしたバッグ１がある。この場合、バッグ１は、糞収容用袋Ｐを収容する第１収容部２と、糞を入れた袋や、スコップ等を入れる第２収容部３を設けており、背後には、リード本体Ｌを挿通する挿通部４と、バッグ１頂部側には、リード本体Ｌの手掛輪部Ｒに通して、係着手段Ｆｆによりループ状に係着する取付帯５を設けている。
これによって、飼い主自身は糞収容用袋やスコップ等を持ち運びする必要はなくなり、散歩が苦にならなくなったといわれる。
【発明の開示】
【発明が解決しようとする課題】
【０００６】
しかしながら、上記バッグ１においては、リード本体Ｌを挿通部４に通す際、首輪側に連結する一端側から挿通しなければならず、バッグ１を取り付ける際、一旦、リード本体Ｌを首輪から外さなければならず、ペットが離れないようにペットを掴みながら、リード本体Ｌを挿通部４に通す作業を行なう必要があった。また、このように、挿通部４と取付帯５とあるために、少なくとも二段階の取付手間がかかることになる。
本発明はこのような課題を改善するために提案されたものであって、ごく簡単にリードのリード本体に取り付けて、散歩の際に携行することができるようにした、愛玩動物用バッグを提供することを目的とする。
【課題を解決するための手段】
【０００７】
前記した課題を解決するために、本発明では、請求項１において、愛玩動物の用具類を収容する収容部を備えたバッグ本体と、このバッグ本体外面に設けた保持帯とで構成し、この保持帯内側面に係着手段を設けて、前記保持帯で愛玩動物を引き連れるためのリードにおけるリード本体の手掛輪部を挟み込むと共に、前記バッグ本体を係着手段により前記手掛輪部に保持する構成とした愛玩動物用バッグを提案する。
また本発明では、請求項２において、前記係着手段は、前記保持帯の内側面に、前記手掛輪部を保持帯で挟み込んだ状態で保持する面ファスナで構成した愛玩動物用バッグを提案する。
さらに本発明では、請求項３において、前記係着手段は、前記保持帯の内側面に、前記手掛輪部を保持帯で挟み込んだ状態で保持するスナップファスナで構成した愛玩動物用バッグを提案する。
【発明の効果】
【０００８】
本発明によれば、愛玩動物を引き連れる際に使用するリードに、ごく簡単に装着して常に携行できるようにした、愛玩動物用バッグを提供することができる。
【０００９】
請求項１によれば、愛玩動物を屋外に散歩などに引き連れる際、リード本体の手掛輪部を、保持帯で挟み込み、この保持帯のみによって、愛玩動物用具類を入れたバッグ本体を前記手掛輪部に保持することができ、飼い主自身は愛玩動物用具類を持ち歩く必要はない。
【００１０】
請求項２によれば、手掛輪部を保持帯で挟んで、保持帯内側面の面ファスナで止め着けるだけで、バッグ本体を手掛輪部からずれ落ちないように保持して携行することができる。
【００１１】
請求項３によれば、手掛輪部を保持帯で挟んで、保持帯内側面のスナップファスナによって、バッグ本体を手掛輪部からずれ落ちないように保持して携行することができる。
【発明を実施するための最良の形態】
【００１２】
以下、本発明にかかる愛玩動物用バッグにつき、一つの実施の態様を挙げ、添付の図面に基づいて説明する。なお、ここでは、図で説明したこれまでのバッグ１と対応する構成のものは同符号を付すものとする。
【実施例１】
【００１３】
図１に愛玩動物用バッグ１を示す。すなわちこの愛玩動物用バッグ１は、適宜な形状（ここでは直方体形状）の布製で構成されたバッグ本体６に、愛玩動物の用具類（糞収容袋Ｐ、スコップ等）をファスナー等で開閉可能に形成した収容口７から収容する収容部８を設けている。この収容部８には、例えば未使用の糞収容袋Ｐと使用済みの収容袋Ｐや、スコップＳを分けて収容するための仕切９を設けてもよい。
そしてこのバッグ本体６の収容部８収容口７背面側には保持帯１０を設けて、一端側を愛玩動物の首輪に連結して愛玩動物を引き連れるためのリードにおけるリード本体Ｌの他端側に設けた手掛輪部Ｒに、前記保持帯１０を介してバッグ本体６を保持するようにしている。
なお、前記リードは、周知の構成のもので、リード本体Ｌは、例えば革製の長尺な帯状物で構成している。勿論、この他、ニット状帯、合成樹脂製帯等、素材は適宜である。このリード本体Ｌの一端側には、愛玩動物の首輪に繋ぐための連結部を設け、リード本体Ｌの他端側における手掛輪部Ｒは、手指を余裕をもって差し入れて握ることができるループを形成するように、他端側を折り返して互いに鋲止め（または接着、あるいは縫着）している。
【００１４】
前記バッグ本体６は、例えば撥水性の布か、表面に撥水処理を施した布で縫製している。また、裏面に防水処理を施したものもよい。
前記収容部８は一つでも、複数でもよい。複数設けた場合、上部側の収容部８には、用具類のうち、糞収容袋等軽いものを、また下部側の収容部８にはスコップ等比較的重いものを収容するようにする。
なお、前記収容部８の収容口７は、周知のファスナ１１により開閉する構成とすることができる。
【００１５】
そして前記保持帯１０は、前記バッグ本体６の収容部８収容口７背面側に設けて、前記リード本体Ｌの他端側に設けた手掛輪部Ｒを保持帯１０内側面に挟み込んで、係着手段（後述）により、前記バッグ本体６を保持するようにしている。
この場合、保持帯１０は、前記手掛輪部Ｒを構成する、折り返して鋲止めした箇所からループの折り返し箇所までの長さ寸法より短い寸法の帯状物であり、長手方向略中間の位置まで、バッグ本体６の収容部８収容口７背面側に長手方向に沿って縫着した縫着部１０ａと、縫着していない取付部１０ｂとを有して、この取付部１０ｂの幅が手掛輪部Ｒを挟み込むのに充分な寸法を有している。そして、縫着部１０ａと取付部１０ｂとに、手掛輪部Ｒを挟み込んだ状態で保持する係着手段として、例えば面ファスナ１２を設けている。
なお、係着手段としては、その他、周知のスナップファスナ（図示省略）も可能である。
【００１６】
以上のような愛玩動物用バッグ１において、愛玩動物を屋外に散歩などに引き連れる際、リード本体Ｌの手掛輪部Ｒに、愛玩動物用具類を入れたバッグ本体６背面の保持帯１０によってバッグ本体６を装着する。
このとき、保持帯１０の縫着部１０ａと取付部１０ｂとが係着した状態から取付部１０ｂを開いて、手掛輪部Ｒを縫着部１０ａと取付部１０ｂと間に挟み込み、縫着部１０ａと取付部１０ｂとを面ファスナ１２によって係着させ、前記バッグ本体６を保持することができる（図１参照）。
【００１７】
このように、保持帯１０のみによって簡単にバッグ本体６を保持することができ、しかも、前記手掛輪部Ｒに装着したことで、散歩中にバッグ本体６がリード本体Ｌを伝って、ずれ落ちるということはない。
また、散歩中に、飼い主自身は愛玩動物用具類を持ち歩く必要はなく、愛玩動物を気軽に散歩に引き連れることができるようになる。
【００１８】
そして、愛玩動物が散歩途中で、用を足したときは、直ちにバッグ本体６の収容口７をファスナ１０により開いて、収容部８から糞収容袋Ｐ、スコップＳを取り出し、始末をする（図２参照）。
始末を終えたら、糞を収容した収容袋ＰとスコップＳを収容部８に戻し、収容口７をファスナ１１により閉じて、再び、散歩を続けることができる。
このように、飼い主自身は愛玩動物用具類を持ち歩く必要もなく、しかも、周りを汚したままとすることもないので、気兼ねなく愛玩動物との散歩を楽しむことができる。
【００１９】
以上のように、本発明の愛玩動物用バッグ１は、バッグ本体６背面の保持帯１０により、リード本体Ｌの手掛輪部Ｒ５に保持するだけであるから、これまでの愛玩動物用バッグ１に比較してさらに取り扱いが向上し、単純な構成であるので製造コストも抑えることができる。
【図面の簡単な説明】
【００２０】
【図１】本発明にかかる愛玩動物用バッグの一つの実施の形態を示す、要部拡大図と全体斜視説明図である。
【図２】本発明にかかる愛玩動物用バッグの使用状態を示す、斜視説明図である。
【図３】従来の愛玩動物用バッグの使用状態を示す、斜視説明図である。
【符号の説明】
【００２１】
１                            バッグ
２                            第１収容部
３                            第２収容部
４                            挿通部
５                            取付帯
６                            バッグ本体
７                            収容口
８                            収容部
９                            仕切
１０                          保持帯
１０ａ                        縫着部
１０ｂ                        取付部
１１                          ファスナ
１２                          面ファスナ
Ｌ                            リード本体
Ｒ                            手掛輪部
Ｆｆ                          係着手段
Ｐ                            収容袋
Ｓ                            スコップ
【図１】
2005318828.tif 000003
【図２】
2005318828.tif 000004
【図３】
2005318828.tif 000005